(57)【特許請求の範囲】
【請求項１】
ペンを着脱可能なペンホルダ内に配されたスイッチのＯＮに基づいてサスペンド・レジュームを制御するペン入力型コンピュータであって、
上記ペンホルダのペン挿入部内に突出した位置で弾性的に支持され上記弾性力に抗する外力により上記突出が没入する第１、第２突起を設け、
上記ペンが上記ペンホルダに装着されるときに上記第１、第２突起の夫々の上記没入を行う凸部と、該没入後の突出復帰により上記第１、第２突起が係合する凹部とを上記ペンに設け、
上記第２突起の上記没入を検出して上記スイッチがＯＮされる位置に上記スイッチが配設され、上記第１突起が上記凹部に係合した状態では上記第２突起は没入しないように上記第１、第２突起と上記凸部が配設されることを特徴とするペン入力型コンピュータ。
【請求項２】
ペンはその長さ方向に上記ペンホルダに挿入され、上記第２突起は上記第１突起より奥の上記ペン挿入部に配設され、上記第２突起が上記凹部に係合した状態で更にペンが奥に挿入されることを阻止する当接部が上記ペンホルダに設けられることを特徴とする請求項１に記載のペン入力型コンピュータ。
【発明の詳細な説明】
【０００１】
【発明の属する技術分野】
本発明は、ペン入力型コンピュータに関する。
【０００２】
【従来の技術】
現在、コンピュータ、特にパーソナルコンピュータの分野では携帯性の向上の市場ニーズにしたがって液晶表示部とキーボード部とをヒンジ手段で連結し、携帯時にはこのヒンジ手段を中心に液晶表示部とキーボード部と折り畳むことによりＡ４サイズ以下の大きさとして携帯可能とした所謂ノート型のコンピュータが増えつつある。
【０００３】
また、更なる小型化や操作性の向上の市場ニーズに応えるべく、液晶表示部上に透明なタブレットやデジタイザを配し、種々の入力をペンで行うことを可能とし、従来の如きキー入力を不要としたコンピュータも出現している。
【０００４】
この種ペン入力型のコンピュータにおいても、入力操作は簡略化されるものの機能自体は従前のコンピュータと同等の性能が要求されている。なかでも、電源をＯＦＦにしても、ＯＦＦ直前の動作状態保持し、電源の再投入時には上記ＯＦＦ直前の動作状態に戻す所謂サスペンド・レジューム機能は、携帯型のコンピュータにおいては低電力消費の点から重要となっている。
【０００５】
【発明が解決しようとする課題】
このサスペンド・レジューム機能を備えたペン入力型コンピュータの一例としては、例えば特開平５−３０３４５２号（Ｇ０６Ｆ１／２６）に記載されている。この公開公報に記載されているペン入力型コンピュータでは、ペンホルダにペンが収納装着された際には、ユーザはコンピュータの使用を一旦中断したものと見做してサンスペンド状態に入り、ペンホルダからペンが取り外された際にはレジュームする構成となっている。
【０００６】
然るに、実際の使用においてはユーザがペンホルダにペンを収納装着した場合には必ずしもユーザがコンピュータの使用を中断したケースばかりではなく、単に入力が不要となっただけの場合がある。
【０００７】
ところで、このようにペン入力が不要となった場合、ペンをペンホルダに戻すことによりペン未使用時のペンの紛失を防止できるが、上記公開公報のようにペンホルダにペンが収納装着された際にはサスペンド状態となってしまうと、ペンをペンホルダに戻すことができない。
【０００８】
【課題を解決するための手段】
本発明は、このような課題に鑑みてなされたもので、その特徴は、ペンを着脱可能なペンホルダ内に配されたスイッチのＯＮに基づいてサスペンド・レジュームを制御するペン入力型コンピュータであって、上記ペンホルダのペン挿入部内に突出した位置で弾性的に支持され上記弾性力に抗する外力により上記突出が没入する第１、第２突起を設け、上記ペンが上記ペンホルダに装着されるときに上記第１、第２突起の夫々の上記没入を行う凸部と、該没入後の突出復帰により上記第１、第２突起が係合する凹部とを上記ペンに設け、上記第２突起の上記没入を検出して上記スイッチがＯＮされる位置に上記スイッチが配設され、上記第１突起が上記凹部に係合した状態では上記第２突起は没入しないように上記第１、第２突起と上記凸部が配設されることにある。
【０００９】
【発明の実施の形態】
図１は、本発明の一実施例を示し、ペン入力型コンピュータの本体１には、その一側壁に形成された開口より本体１内方に延在するペンホルダ２が形成されている。このペンホルダ２内には、挿入されたペン３を保持するための第１、第２の保持部４、５が形成されている。上記第１保持部４は、上記ペンホルダ２の空間を規定する一側壁を切り起こしその先端にペンホルダ２の内方に突出する第１突起４１が形成されると共に常時ペンホルダ２内方への弾性力を有する。上記第２保持部５は、上記ペンホルダ２の空間を規定する底面を切り起こしその先端にペンホルダ２の内方に突出する第２突起５１が形成されると共に常時ペンホルダ２内方への弾性力を有する。また、上記第１、第２突起４１、５１の位置関係は、第２突起５１が第１突起４１よりペンホルダ２内方に位置する。さらに、上記第２突起５１の下方にはスイッチ６が配されている。このスイッチ６は、後述の説明からも明かとなるように、ぺんホルダ２内にペン３が完全に装着されたときにＯＮとなる。
【００１０】
ペン３は、細身の柱状先端部３１と太身の柱状握持部３２とからなり、この握持部３２の先端部３１近傍には環状凹部３３が形成されている。上記先端部３１は、ペン３がペンホルダ２内に挿入された際、上記第１、第２突起４１、５１のいずれとも当接しないだけの細さを有し、一方、上記握持部３２は、ペン３がペンホルダ２内に挿入された際、上記第１、第２突起４１、５１の弾性力に抗するだけの太さを有する。尚、環状凹部３３の太さは先端部３１と同程度である。
【００１１】
次に、本実施例におけるペンホルダ２へのペン３の装着について説明する。
【００１２】
まず、図１（ａ）に示す如く、ペン３をその先端部３１よりペンホルダ２内に挿入させていくと、第１保持部４の第１突起４１がペン３の環状凹部３３と係合してペン３のペンホルダ２からの抜けを阻止する。更に、ペン３をペンホルダ２内に押し込むと、第１保持部４と第１突起４１との係合が解除され、第１図（ｂ）に示す如く、先端部３１と凹部３３との境界となり、かつ、握持部３２と同程度の太さを有する境界部３４により第２突起５１が下方に押され、この第２突起５１下方に位置するスイッチ６がＯＮとなる。またさらにペン３をペンホルダ２内に押し込むと、境界部３４による第２突起５１の押圧が解除され、第１図（ｃ）に示す如く、ペン３の最先端がペンホルダ２の最深壁面に当接し、それ以上のペン３の押し込みができなくなる。またこの時、第２突起５１が環状凹部３３に係合することとなるので、この場合にもペン３のペンホルダ２からの抜けを阻止する。
【００１３】
尚、各突起４１、５１と環状凹部３３との係合及び係合解除をわずかな力で行えるように、図１からも明らかなとおり、各突起４１、５１及び環状凹部３３のペン３の着脱方向と直交する面には湾曲テーパが施されている。
【００１４】
このように本実施例では、ペンホルダ２中にペン３を保持する位置がその延在方向に並べて２ケ所存在し、かつ、ペンホルダ２の最深壁面近傍に存在する第２突起５１からなる第２保持位置にペン３が保持された時、スイッチ６がＯＮとなる。従って、上記スイッチ６をサスペンド・レジューム用のスイッチとして使用し、上記ペン３が上記スイッチ６を瞬間的にＯＮして第２保持位置に保持された場合にコンピュータをサスペンド状態とし、一方このサスペンド状態においてペン３がペンホルダ２より引き抜かれ、第２保持位置でのペン３の保持の解除に伴ってスイッチ６が瞬間的にＯＮとなった事を条件としてレジュームさせることができる。また、ペンホルダ２にペン３を挿入装着させる際、ペンホルダ２の開口側に位置する第１突起４１からなる第２保持位置にペン３を保持させるだけではスイッチ６が動作しないためサスペンド状態にはならないが、ペン３はペンホルダ２内に保持されているため、紛失することはない。
【００１５】
【発明の効果】
以上の説明から明らかなように、本発明によれば、ペン入力型コンピュータの入力ペンをペンホルダに収納した場合であっても、コンピュータをサスペンドすることなく収納することも可能であるのでペン未使用時のペンの紛失を防ぐことができ、使い勝手が向上する。
【図面の簡単な説明】
【図１】本発明の実施例におけるペンホルダ２へのペン３の着脱を説明するための要部部分断面図である。
【符号の説明】
１    ペン入力型コンピュータ本体
２    ペンホルダ
３    ペン
４    第１保持部
５    第２保持部
６    スイッチ
３１  先端部
３２  握持部
３３  環状凹部
３４  境界部
４１  第１突起
５１  第２突起
【図１】
0003639406.tif 000002